(57)【要約】      （修正有）【課題】スピーカーのグランド線と信号線を接続端子に接続する作業をワンタッチで簡単に行え、作業能率を向上させることができるスピーカーの接続線の接続構造を提供する。【解決手段】左右一対の接続端子５、６を筐体１の左右一対の前部開口内の対向する内側にそれぞれ位置するように配置し、それぞれ外側にスピーカーのグランド線７と信号線８を接続端子側に押し付ける板状片９、１０を配置し、先端側の板状片を操作レバー１１の先端に回動自在に枢着し、反対側の板状片を操作レバーの略中央箇所に一体に設け、左右一対の接続端子間に板状体を挟み込むように配置し、操作レバーに取付けた先端側の板状片及び反対側の板状片と板状体との間に引っ張りバネ１３、１３を掛け渡し、操作レバーの根元側近傍箇所にラック１４の歯を所定長さ間設け、ラックの歯に噛み合う歯を有するピニオン１５を筐体の外側から内側に貫通した回転ボタン軸材１６に取り付けた。【選択図】図２
2005267860.tif 000002
【特許請求の範囲】
【請求項１】
スピーカーのグランド線と信号線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は、左右一対の前部開口内の対向する内側にそれぞれ位置するように配置され、それぞれ外側に前記グランド線と信号線を前記接続端子側に押し付ける板状片が配置され、先端側の板状片が操作レバーの先端に回動自在に枢着され、反対側の板状片が前記操作レバーの略中央箇所に一体に設けられていて、前記左右一対の接続端子間には、板状体が挟み込まれるように配置され、前記操作レバーに取付られた前記先端側の板状片及び反対側の板状片と前記板状体との間に引っ張りバネがそれぞれ掛け渡されており、前記操作レバーの根元側近傍箇所には、ラックの歯が所定長さ間設けられ、このラックの歯に噛み合う歯を有するピニオンが、前記筐体の外側から内側に貫通した回転ボタン軸材の所定箇所に取り付けられた構成とされ、前記回動ボタン軸材を回転させることによって、この回転ボタン軸材に取り付けられた前記ピニオンが回転されてこのピニオンと噛み合うラックを有する前記操作レバーが前記接続端子から離れる方向へ移動して、前記先端側の板状片が外向きに回動してこの板状片と前記接続端子との間に前記グランド線もしくは信号線を差し込み可能な開放部分が生じるとともに、前記反対側の板状片が前記接続端子より離れる方向に移動してこの板状片と前記接続端子との間に信号線もしくはグランド線を挿入可能な開放部分が生じ、前記各開放部分に前記グランド線と信号線を差し込んで、前記操作レバーが前記各引っ張りバネの引っ張り力で先端側に移動して、前記各板状片と前記各接続端子との間に前記グランド線と信号線がそれぞれ挟まれて取り付けられるように構成したことを特徴とするスピーカーの接続線の接続構造。
【請求項２】
スピーカーのグランド線と信号線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は、左右一対の前部開口内の対向する内側にそれぞれ位置するように配置され、それぞれ外側に前記グランド線と信号線を前記接続端子側に押し付ける板状片が配置され、先端側の板状片が操作レバーの先端に回動自在に枢着され、反対側の板状片が前記操作レバーの略中央箇所に一体に設けられていて、前記左右一対の接続端子間には、板状体が挟み込まれるように配置され、前記操作レバーに取付られた前記先端側の板状片及び反対側の板状片と前記板状体との間に引っ張りバネがそれぞれ掛け渡されており、前記操作レバーを移動するための移動手段が設けられ、この移動手段による前記操作レバーの移動によって、前記接続端子と各板状片との間に開放部分が生じ、この開放部分に前記グランド線と信号線を差し込んで前記操作レバーを前記引っ張りバネの引っ張り力で反対側に移動されることによって、前記各接続端子と前記各板状片との間に前記グランド線と前記信号線とがそれぞれ挟まれて取り付けられるように構成したことを特徴とするスピーカーの接続線の接続構造。
【請求項３】
前記移動手段は、前記操作レバーの根元部に片方の縁部が斜面状に形成された開口部と、この開口部に、前記斜面状の縁部に接し手前側に向けて広がるように形成されたテーパー面が形成された前後移動可能なボタン式軸材と、このボタン式軸材の先端側に配置された付勢バネとで構成され、前記ボタン式軸材を前記筐体の奥側に押し込むと、このボタン式軸材のテーパー面が前記操作レバーの開口部の斜面状開口部に対して摺動して、前記操作レバーが移動され、前記各接続端子と前記各板状片との間に開放部分が生じ、この開放部分に前記グランド線と信号線とを差し込んだ後に、前記引っ張りバネの引っ張り力で前記操作レバーが前記とは逆方向に移動され、前記ボタン式軸材が前記付勢バネで手前側に移動されるとともに、前記各接続端子と前記各板状片とで前記グランド線と信号線とが挟まれて取り付けられるようにした請求項２に記載のスピーカーの接続線の接続構造。
【発明の詳細な説明】
【技術分野】
【０００１】
本発明は、スピーカーのグランド線と信号線とを、筐体内の左右一対の接続端子の前側に設けられた左右一対の前部開口にそれぞれ差し込んだ後に、前部開口内でこれらの線を左右一対の接続端子に取り付けるようにしたスピーカーのグランド線と信号線の接続構造に関するものである。
【背景技術】
【０００２】
第１の従来技術を図４（ａ）（ｂ）（ｃ）に示す。板状の接触部分１１１を有するターミナル１１２と、挿入された導線１１３を接触部１１１に圧接させる押圧手段１１４と、ターミナル１１２及び押圧手段１１４を収容するハウジング１１５とを備えている。ターミナル１１２の後方部をハウジング１１５の背面から突出させ、ハウジング背面のターミナル１１２周縁に密閉用凹部１１８を設け、密閉用凹部１１８内に合成樹脂を固着させ、ターミナル１１２とハウジング１１５との間の隙間を密閉する。押圧手段１１４は、ハウジング１１５内に軸支され、この軸を中心に傾動可能な押圧つまみ１２３と、この押圧つまみ１２２を接触部側に付勢されるコイルスプリング１２４とを備えている。（例えば、特許文献１参照）。
【０００３】
ところが、これにおいては、押圧つまみ１２３を押しながら導線１１３を狭い導線挿入孔１１９内に挿入しなくてはならないために、この動作が難しく、作業能率が上がらないという問題があった。
【特許文献１】２００２−３２４５９７号公報
【発明の開示】
【発明が解決しようとする課題】
【０００４】
本発明は、上記従来の問題に鑑みてなされたものであって、スピーカーのグランド線と信号線を接続端子に接続する作業をワンタッチで簡単に行え、作業能率を向上させることができるスピーカーの接続線の接続構造を提供することを目的としている。
【課題を解決するための手段】
【０００５】
本発明は、上記課題を解決するために提案されたものであって、請求項１に記載の発明は、スピーカーのグランド線と信号線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は、左右一対の前部開口内の対向する内側にそれぞれ位置するように配置され、それぞれ外側に前記グランド線と信号線を前記接続端子側に押し付ける板状片が配置され、先端側の板状片が操作レバーの先端に回動自在に枢着され、反対側の板状片が前記操作レバーの略中央箇所に一体に設けられていて、前記左右一対の接続端子間には、板状体が挟み込まれるように配置され、前記操作レバーに取付られた前記先端側の板状片及び反対側の板状片と前記板状体との間に引っ張りバネがそれぞれ掛け渡されており、前記操作レバーの根元側近傍箇所には、ラックの歯が所定長さ間設けられ、このラックの歯に噛み合う歯を有するピニオンが、前記筐体の外側から内側に貫通した回転ボタン軸材の所定箇所に取り付けられた構成とされ、前記回動ボタン軸材を回転させることによって、この回転ボタン軸材に取り付けられた前記ピニオンが回転されてこのピニオンと噛み合うラックを有する前記操作レバーが前記接続端子から離れる方向へ移動して、前記先端側の板状片が外向きに回動してこの板状片と前記接続端子との間に前記グランド線もしくは信号線を差し込み可能な開放部分が生じるとともに、前記反対側の板状片が前記接続端子より離れる方向に移動してこの板状片と前記接続端子との間に信号線もしくはグランド線を挿入可能な開放部分が生じ、前記各開放部分に前記グランド線と信号線を差し込んで、前記操作レバーが前記各引っ張りバネの引っ張り力で先端側に移動して、前記各板状片と前記各接続端子との間に前記グランド線と信号線がそれぞれ挟まれて取り付けられるように構成したことを特徴としている。
【０００６】
請求項２に記載の発明は、スピーカーのグランド線と信号線とを、筐体内の左右一対の接続端子の前側に設けられた左右一対の前部開口にそれぞれ差し込んだ後に、前記前部開口内でこれらの線を前記左右一対の接続端子に取り付けるようにしたスピーカーの接続線の接続構造において、前記左右一対の接続端子は、左右一対の前部開口内の対向する内側にそれぞれ位置するように配置され、それぞれ外側に前記グランド線と信号線を前記接続端子側に押し付ける板状片が配置され、先端側の板状片が操作レバーの先端に回動自在に枢着され、反対側の板状片が前記操作レバーの略中央箇所に一体に設けられていて、前記左右一対の接続端子間には、板状体が挟み込まれるように配置され、前記操作レバーに取付られた前記先端側の板状片及び反対側の板状片と前記板状体との間に引っ張りバネがそれぞれ掛け渡されており、前記操作レバーを移動するための移動手段が設けられ、この移動手段による前記操作レバーの移動によって、前記接続端子と各板状片との間に開放部分が生じ、この開放部分に前記グランド線と信号線を差し込んで前記操作レバーを前記引っ張りバネの引っ張り力で反対側に移動されることによって、前記各接続端子と前記各板状片との間に前記グランド線と前記信号線とがそれぞれ挟まれて取り付けられるように構成したことを特徴としている。
【０００７】
請求項３に記載の発明は、前記移動手段は、前記操作レバーの根元部に片方の縁部が斜面状に形成された開口部と、この開口部に、前記斜面状の縁部に接し手前側に向けて広がるように形成されたテーパー面が形成された前後移動可能なボタン式軸材と、このボタン式軸材の先端側に配置された付勢バネとで構成され、前記ボタン式軸材を前記筐体の奥側に押し込むと、このボタン式軸材のテーパー面が前記操作レバーの開口部の斜面状縁部に対して摺動して、前記操作レバーが移動され、前記各接続端子と前記各板状片との間に開放部分が生じ、この開放部分に前記グランド線と信号線とを差し込んだ後に、前記引っ張りバネの引っ張り力で前記操作レバーが前記とは逆方向に移動され、前記ボタン式軸材が前記付勢バネで手前側に移動されるとともに、前記各接続端子と前記各板状片とで前記グランド線と信号線とが挟まれて取り付けられるようにしている。
【発明の効果】
【０００８】
請求項１に記載の発明によれば、回転ボタン軸材を回転させるだけで、ピニオンとラックを介して操作レバーを移動し、各板状片と各接続端子の間に開放部分を生じさせて、これらの開放部分にスピーカー線のグランド線と信号線を差し込み、引っ張りバネの引っ張り力で各板状片と各接続端子の間にグランド線と信号線を挟み込んで取り付けることができるので、スピーカーのグランド線と信号線とを各接続端子にワンタッチで簡単に接続して取り付けることができる。
【０００９】
請求項２に記載の発明によれば、移動手段によって、操作レバーを移動し、各板状片と各接続端子の間に開放部分を生じさせて、これらの開放部分にスピーカー線のグランド線と信号線を差し込み、引っ張りバネの引っ張り力で各板状片と各接続端子の間にグランド線と信号線を挟み込んで取り付けることができるので、スピーカーのグランド線と信号線とを各接続端子にワンタッチで簡単に接続して取り付けることができる。
【００１０】
請求項３に記載の発明によれば、ボタン式軸材を押し込むだけで、操作レバーを移動し、各板状片と各接続端子の間に開放部分を生じさせて、これらの開放部分にスピーカーのグランド線と信号線を差し込み、引っ張りバネの引っ張り力で各板状片と各接続端子の間にグランド線と信号線を挟み込んで取り付けることができるので、スピーカーのグランド線と信号線とを各接続端子にワンタッチで簡単に接続して取り付けることができる。
【発明を実施するための最良の形態】
【００１１】
以下、本発明に係るスピーカーの接続線の接続構造の実施の形態について、図を参照しつつ説明する。
【００１２】
図１は本発明に係るスピーカーの接続線の接続構造の第１実施形態の外観を示す斜視図、図２（ａ）は第１実施形態におけるスピーカーのグランド線と信号線が接続される前の状態を示す要部の正面斜視図、（ｂ）は（ａ）の状態からスピーカーのグランド線と信号線を取り付ける直前の状態を示す正面斜視図である。
【００１３】
第１実施形態のスピーカーの接続線の接続構造は、図１、図２（ａ）（ｂ）に示すように、筐体１がパネル２の前側に設けられていて、筐体１の前側には左右一対の前部開口３、４が設けられている。更に、左右一対の接続端子５、６が、左右一対の前部開口３、４内の対向する内側にそれぞれ位置するように配置され、更にそれぞれ外側にスピーカーのグランド線７と信号線８を接続端子５、６側に押し付ける板状片９、１０が配置されている。先端側の板状片９が水平向きに配設された操作レバー１１の先端に回動自在に枢着され、反対側の板状片１０が操作レバー１１の略中央箇所に一体に設けられている。
【００１４】
左右一対の接続端子５、６間には、板状体１２が挟み込まれるように配置され、操作レバー１１に取付られた先端側の板状片９及び反対側の板状片１０と板状体１２との間に引っ張りバネ１３、１３がそれぞれ掛け渡されている。操作レバー１１の根元側近傍箇所には、ラック１４の歯が所定長さ間設けられ、このラック１４の歯に噛み合う歯を有するピニオン１５が、筐体１の外側から内側に貫通した回転ボタン軸材１６の所定箇所に取り付けられている。
【００１５】
その作用は、回動ボタン軸材１６を回転させることによって、この回転ボタン軸材１６に取り付けられたピニオン１５が回転されてこのピニオン１５と噛み合うラック１４を有する操作レバー１１が接続端子５、６から離れる方向へ移動する。先端側の板状片９が外向きに回転してこの板状片９と接続端子５との間にグランド線７を差し込み可能な開放部分１７が生じるとともに、反対側の板状片１０が接続端子６よりはなれる方向に移動してこの板状片１０と接続端子６との間に信号機８を挿入可能な開放部分１８が生じる。
【００１６】
各開放部分１７、１８にグランド線７と信号線８を差し込んで、操作レバー１１が各引っ張りバネ１３、１３の引っ張り力で先端側に移動して、各板状片９、１０と各接続端子５、６との間にグランド線と信号線がそれぞれ挟まれて取り付けられるように構成されている。
【００１７】
従って、この第１実施形態によれば、回転ボタン軸材１６を回転させるだけで、ピニオン１５とラック１４を介して操作レバー１１を移動し、各板状片９、１０と各接続端子５、６の間に開放部分１７、１８を生じさせて、これらの開放部分１７、１８にスピーカー線のグランド線７と信号線８を差し込み、引っ張りバネ１３、１３の引っ張り力で各板状片９、１０と各接続端子５、６の間にグランド線７と信号線８を挟み込んで取り付けることができるので、スピーカーのグランド線７と信号線８とを各接続端子５、６にワンタッチで簡単に接続して取り付けることができる。
【００１８】
図３（ａ）は第２実施形態のスピーカーの接続線の接続構造における要部の平面断面図、（ｂ）は（ａ）の状態から操作レバーを右側に移動した状態を示す要部の平面断面図である。
【００１９】
この第２実施形態のスピーカー線の接続線の接続構造は、図３（ａ）（ｂ）に示すように、操作レバー１１を移動させるための移動手段が、操作レバー１１の根元部に片方の縁部１１ａが斜面状に形成された開口部１１ｂと、この開口部１１ｂの斜面状の縁部１１ａに接し手前側に向けて広がるように形成されたテーパー面１９ａが形成された前後移動可能なボタン式軸材１９と、このボタン式軸材１９の先端側に配置された付勢バネ２０とで構成されている。
【００２０】
ボタン式軸材１９を筐体１の奥側に押し込むと、このボタン式軸材１９のテーパー面１９ａが操作レバー１１の開口部１１ｂの斜面状の縁部１１ａに対して摺動して、操作レバー１１が移動され、各接続端子５、６と各板状片９、１０との間に開放部分１７、１８が生じ、この開放部分１７、１８にグランド線７と信号線８とを差し込んだ後に、引っ張りバネ１３、１３の引っ張り力操作レバー１１が前記とは逆方向に移動され、ボタン式軸材１９が付勢バネ２０で手前側に移動されるとともに、各接続端子５、６と各板状片９、１０とでグランド線７と信号機８とが挟まれて取り付けられるようになっている。
【００２１】
従って、この第２実施形態によれば、ボタン式軸材１９を押し込むだけで、操作レバー１１を移動し、各板状片９、１０と各接続端子５、６の間に開放部分１７、１８を生じさせて、これらの開放部分１７、１８にスピーカーのグランド線７と信号線８を差し込み、引っ張りバネ１３、１３の引っ張り力で各板状片９、１０と各接続端子５、６の間にグランド線７と信号線８を挟み込んで取り付けることができるので、スピーカーのグランド線７と信号線８とを各接続端子５、６にワンタッチで簡単に接続して取り付けることができる。
【図面の簡単な説明】
【００２２】
【図１】本発明に係るスピーカーの接続線の接続構造の第１実施形態の外観を示す斜視図である。
【図２】（ａ）は第１実施形態におけるスピーカーのグランド線と信号線が接続される前の状態を示す要部の正面斜視図、（ｂ）は（ａ）の状態からスピーカーのグランド線と信号線を取り付ける直前の状態を示す正面斜視図である。
【図３】（ａ）は第２実施形態のスピーカー線の接続線の接続構造における要部の平面断面図、（ｂ）は（ａ）の状態から操作レバーを右側に移動した状態を示す要部の平面断面図である。
【図４】従来の押圧式ターミナル装置を示し、（ａ）はその正面図、（ｂ）は（ａ）におけるＡ−Ａ線断面図、（ｃ）はその導線の接続状態を示すＡ−Ａ線断面図である。
【符号の説明】
【００２３】
１      筐体
２      パネル
３      前部開口
４      前部開口
５      接続端子
６      接続端子
７      グランド線
８      信号線
９      板状片
１０    板状片
１１    操作レバー
１１ａ  斜面状の縁部
１１ｂ  開口部
１２    板状体
１３    引っ張りバネ
１４    ラック
１５    ピニオン
１６    回転ボタン軸材
１７    開放部分
１８    開放部分
１９    ボタン式軸材
１９ａ  テーパー面
２０    付勢バネ
【図１】
2005267860.tif 000003
【図２】
2005267860.tif 000004
【図３】
2005267860.tif 000005
【図４】
2005267860.tif 000006